(57)【要約】【課題】  スマートな外観であるとともに、より均一に照らすことが可能なＬＥＤ照明器具を提供すること。【解決手段】  ＬＥＤ照明器具１０１は、第１方向における一方側である照射側を向く環状の第１支持面２１０、および上記第１方向に対して直角でありかつ互いに直角である第２および第３方向において第１支持面２１０に囲まれた第２支持面２２０、を有する支持部２００と、第１支持面２１０に支持された複数のＬＥＤチップ３１０と、第２支持面２２０に支持され、複数のＬＥＤチップ３１０へ電力を供給するための電源部４００と、支持部２００に対して照射側に位置し、ＬＥＤチップ３１０からの光を透過するカバー６００と、支持部２００とカバー６００との間に位置し、電源部４００を覆うとともに光を透過する電源部ハウジング５００と、を備える。【選択図】  図４
2013186981.tif 000002
【特許請求の範囲】
【請求項１】
第１方向における一方側である照射側を向く環状の第１支持面、および上記第１方向に対して直角でありかつ互いに直角である第２および第３方向において上記第１支持面に囲まれた第２支持面、を有する支持部と、
上記第１支持面に支持された複数のＬＥＤチップと、
上記第２支持面に支持され、上記複数のＬＥＤチップへ電力を供給するための電源部と、
上記支持部に対して上記第１方向照射側に位置し、上記ＬＥＤチップからの光を透過するカバーと、
上記支持部と上記カバーとの間に位置し、上記電源部を覆うとともに光を透過する電源部ハウジングと、を備えることを特徴とする、ＬＥＤ照明器具。
【請求項２】
上記第２支持面は、上記第１方向視において環状であり、
上記電源部ハウジングは、上記第１方向視において上記第２支持面と重なる環状である、請求項１に記載のＬＥＤ照明器具。
【請求項３】
上記電源部ハウジングは、上記電源部に対して上記第２および第３方向における内側に位置し、上記第１方向に沿った筒状をなす内側筒壁部と、上記電源部に対して上記第２および第３方向における外側に位置し、上記第１方向に沿った筒状をなす外側筒壁部と、上記内側筒壁部および上記外側筒壁部の先端どうしをつなぎ、上記電源部と上記カバーとの間に位置する環状壁部と、を有する、請求項２に記載のＬＥＤ照明器具。
【請求項４】
上記カバーは、上記第１方向視において上記第１支持面と重なる環状の主照射部と、上記第１方向視において上記主照射部の内側に位置する中央部と、を有する、請求項３に記載のＬＥＤ照明器具。
【請求項５】
上記主照射部のうち上記第２および第３方向における内寄り部分は、上記環状壁部のうち上記第２および第３方向における外寄り部分に重ね合わされる、請求項４に記載のＬＥＤ照明器具。
【請求項６】
上記中央部のうち上記第２および第３方向における外寄り部分は、上記環状壁部のうち上記第２および第３方向における内寄り部分に重ね合わされる、請求項４または５に記載のＬＥＤ照明器具。
【請求項７】
上記中央部の上記外寄り部分は、上記環状壁部の上記内寄り部分に対して着脱可能に取り付けられる、請求項６に記載のＬＥＤ照明器具。
【請求項８】
上記第１支持面、上記第２支持面、および上記電源部ハウジングは、それぞれ、上記第１方向視において円環状である、請求項１ないし７のいずれかに記載のＬＥＤ照明器具。
【請求項９】
上記電源部ハウジングは、透明である、請求項１ないし８のいずれかに記載のＬＥＤ照明器具。
【請求項１０】
上記カバーは、上記ＬＥＤチップからの光を拡散させつつ透過する、請求項９に記載のＬＥＤ照明器具。
【請求項１１】
上記第１方向視において上記電源部と重なるように上記電源部ハウジングと上記電源部との間に位置し、光を遮るための遮光板を備え、
上記遮光板における上記第１方向照射側の面は、光反射率の高い高反射率面とされている、請求項１ないし１０のいずれかに記載のＬＥＤ照明器具。
【請求項１２】
上記第２支持面は、上記第１支持面よりも上記第１方向における他方側である設置側に位置する、請求項１ないし１０のいずれかに記載のＬＥＤ照明器具。
【請求項１３】
上記電源部は、上記第１支持面よりも上記第１方向設置側に位置する、請求項１２に記載のＬＥＤ照明器具。
【請求項１４】
上記第１方向視において上記電源部と重なるように上記電源部ハウジングと上記電源部との間に位置し、光を遮るための遮光板を備え、
上記遮光板における上記第１方向照射側の面は、光反射率の高い高反射率面とされている、請求項１２または１３に記載のＬＥＤ照明器具。
【請求項１５】
上記遮光板は、上記第２および第３方向において中央に向かうほど上記第１方向照射側に位置するように傾斜している、請求項１４に記載のＬＥＤ照明器具。
【請求項１６】
上記第２支持面に支持されており、かつ上記電源部が搭載された電源基板を備え、
上記電源基板における上記第１方向照射側の面は、光反射率の高い高反射率面とされている、請求項１ないし１５のいずれかに記載のＬＥＤ照明器具。
【発明の詳細な説明】
【技術分野】
【０００１】
本発明は、ＬＥＤチップを備えるＬＥＤ照明器具に関する。
【背景技術】
【０００２】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【０００３】
図１５は、シーリングライトとして用いられる従来のＬＥＤ照明器具の一例を示している（たとえば、特許文献１参照）。同図に示されたＬＥＤ照明器具９００は、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵している。反射面９２０は、たとえば白色塗装が施された金属板部材の表面である。光源部９１０からの光は、反射面９２０によって反射されることにより、図中下方へと進行する。カバー９３０は、反射面９２０を覆っており、平面視において概略矩形状とされている。カバー９３０は、たとえば光を拡散しながら透過する樹脂からなり、反射面９２０によって反射された光を、拡散しながら図中下方へと透過する。ＬＥＤ照明器具９００は、天井に沿ったスマートな外観と、室内を均一に照らすことを両立することが意図されている。
【０００４】
しかしながら、図１５に示されたＬＥＤ照明器具９００において、光源部９１０は、カバー９３０の外縁から近い位置にある。このため、反射面９２０のうち光源部９１０から遠い部位（図１５における左右方向中央寄り）には、光源部９１０からの光が届きにくい。また、ＬＥＤ照明器具９００の厚さを薄くするほど、反射面９２０の形状が制約を受ける。この制約は、ＬＥＤ照明器具９００によって均一に照らすことを阻害しうる。
【先行技術文献】
【特許文献】
【０００５】
【特許文献１】特開２００８−３００２０３号公報
【発明の概要】
【発明が解決しようとする課題】
【０００６】
本発明は、上記した事情のもとで考え出されたものであって、スマートな外観であるとともに、より均一に照らすことが可能なＬＥＤ照明器具を提供することをその課題とする。
【課題を解決するための手段】
【０００７】
本発明によって提供されるＬＥＤ照明器具は、第１方向における一方側である照射側を向く環状の第１支持面、および上記第１方向に対して直角でありかつ互いに直角である第２および第３方向において上記第１支持面に囲まれた第２支持面、を有する支持部と、上記第１支持面に支持された複数のＬＥＤチップと、上記第２支持面に支持され、上記複数のＬＥＤチップへ電力を供給するための電源部と、上記支持部に対して上記第１方向照射側に位置し、上記ＬＥＤチップからの光を透過するカバーと、上記支持部と上記カバーとの間に位置し、上記電源部を覆うとともに光を透過する電源部ハウジングと、を備えることを特徴としている。
【０００８】
本発明の好ましい実施の形態においては、上記第２支持面は、上記第１方向視において環状であり、上記電源部ハウジングは、上記第１方向視において上記第２支持面と重なる環状である。
【０００９】
本発明の好ましい実施の形態においては、上記電源部ハウジングは、上記電源部に対して上記第２および第３方向における内側に位置し、上記第１方向に沿った筒状をなす内側筒壁部と、上記電源部に対して上記第２および第３方向における外側に位置し、上記第１方向に沿った筒状をなす外側筒壁部と、上記内側筒壁部および上記外側筒壁部の先端どうしをつなぎ、上記電源部と上記カバーとの間に位置する環状壁部と、を有する。
【００１０】
本発明の好ましい実施の形態においては、上記カバーは、上記第１方向視において上記第１支持面と重なる環状の主照射部と、上記第１方向視において上記主照射部の内側に位置する中央部と、を有する。
【００１１】
本発明の好ましい実施の形態においては、上記主照射部のうち上記第２および第３方向における内寄り部分は、上記環状壁部のうち上記第２および第３方向における外寄り部分に重ね合わされる。
【００１２】
本発明の好ましい実施の形態においては、上記中央部のうち上記第２および第３方向における外寄り部分は、上記環状壁部のうち上記第２および第３方向における内寄り部分に重ね合わされる。
【００１３】
本発明の好ましい実施の形態においては、上記中央部の上記外寄り部分は、上記環状壁部の上記内寄り部分に対して着脱可能に取り付けられる。
【００１４】
本発明の好ましい実施の形態においては、上記第１支持面、上記第２支持面、および上記電源部ハウジングは、それぞれ、上記第１方向視において円環状である。
【００１５】
本発明の好ましい実施の形態においては、上記電源部ハウジングは、透明である。
【００１６】
本発明の好ましい実施の形態においては、上記カバーは、上記ＬＥＤチップからの光を拡散させつつ透過する。
【００１７】
本発明の好ましい実施の形態においては、上記第１方向視において上記電源部と重なるように上記電源部ハウジングと上記電源部との間に位置し、光を遮るための遮光板を備え、上記遮光板における上記第１方向照射側の面は、光反射率の高い高反射率面とされている。
【００１８】
本発明の好ましい実施の形態においては、上記第２支持面は、上記第１支持面よりも上記第１方向における他方側である設置側に位置する。
【００１９】
本発明の好ましい実施の形態においては、上記電源部は、上記第１支持面よりも上記第１方向設置側に位置する。
【００２０】
本発明の好ましい実施の形態においては、上記第１方向視において上記電源部と重なるように上記電源部ハウジングと上記電源部との間に位置し、光を遮るための遮光板を備え、上記遮光板における上記第１方向照射側の面は、光反射率の高い高反射率面とされている。
【００２１】
本発明の好ましい実施の形態においては、上記遮光板は、上記第２および第３方向において中央に向かうほど上記第１方向照射側に位置するように傾斜している。
【００２２】
本発明の好ましい実施の形態においては、上記第２支持面に支持されており、かつ上記電源部が搭載された電源基板を備え、上記電源基板における上記第１方向照射側の面は、光反射率の高い高反射率面とされている。
【００２３】
本発明のその他の特徴および利点は、添付図面を参照して以下に行う詳細な説明によって、より明らかとなろう。
【図面の簡単な説明】
【００２４】
【図１】本発明の第１実施形態に係るＬＥＤ照明器具を示す平面図である。
【図２】図１のＬＥＤ照明器具を示す側面図である。
【図３】図１のＬＥＤ照明器具を示す底面図である。
【図４】図１のＩＶ−ＩＶ線に沿う断面図である。
【図５】図１のＬＥＤ照明器具のカバーを除いた状態を示す平面図である。
【図６】図１のＬＥＤ照明器具に用いられるＬＥＤモジュールの一例を示す断面図である。
【図７】図４の要部拡大図である。
【図８】本発明の第２実施形態に係るＬＥＤ照明器具を示す図４と同様の断面図である。
【図９】図８の要部拡大図である。
【図１０】本発明の第３実施形態に係るＬＥＤ照明器具を示す図４と同様の断面図である。
【図１１】図１０のＬＥＤ照明器具のカバーを除いた状態を示す平面図である。
【図１２】図１０の要部拡大図である。
【図１３】本発明の第４実施形態に係るＬＥＤ照明器具を示す図４と同様の断面図である。
【図１４】図１３の要部拡大図である。
【図１５】従来のＬＥＤ照明器具を示す断面図である。
【発明を実施するための形態】
【００２５】
以下、本発明の好ましい実施の形態につき、図面を参照して具体的に説明する。
【００２６】
図１〜図５は、本発明の第１実施形態に係るＬＥＤ照明器具を示している。本実施形態のＬＥＤ照明器具１０１は、支持部２００、複数のＬＥＤモジュール３００、電源部４００、電源部ハウジング５００、およびカバー６００を備えている。ＬＥＤ照明器具１０１は、たとえば天井８００の給電部８０１に対して設置部品８０２を介して取り付けられることにより、いわゆるシーリングライトとして用いられることが意図されている。なお、図５においては、理解の便宜上カバー６００のほとんどを省略している。
【００２７】
支持部２００は、ＬＥＤ照明器具１０１の土台をなしており、たとえば金属板にプレス加工を施すことにより形成されている。支持部２００は、第１支持面２１０と第２支持面２２０とを有する。第１支持面２１０は、平面視において円環形状とされており、図４に示すように、図中下側（本発明でいう第１方向照射側）を向いている。第２支持面２２０は、平面視（第１方向視）において円環形状とされている。この第２支持面２２０は、図４および図５から理解されるように、図４の上下方向（第１方向）に対して直角である面内方向（第２および第３方向）において、第１支持面２１０に囲まれている。本実施形態においては、第１支持面２１０と第２支持面２２０とは、同一平面上に位置している。支持部２００の天井８００側の面には、複数の緩衝材２６０が設けられている。なお、第１支持面２１０および第２支持面２２０には、たとえば白色塗装が施されており、光反射率の高い高反射率面とされている。
【００２８】
複数のＬＥＤモジュール３００は、ＬＥＤ基板２４０を介して第１支持面２１０に支持されている。ＬＥＤ基板２４０は、たとえばガラスエポキシ樹脂からなる絶縁基板であり、部分円環形状である。ＬＥＤ基板２４０は、複数設けられており、それぞれに複数のＬＥＤモジュール３００が搭載されている。本実施形態においては、４つのＬＥＤ基板２４０が、互いの端部が対向するように配置されることにより、全体として円環形状をなしている。なお、ＬＥＤ基板２４０におけるＬＥＤモジュール３００が搭載される面（図４における図中下側の面）は、たとえば白色レジストが施されており、光反射率の高い高反射率面とされている。
【００２９】
各ＬＥＤモジュール３００は、平面視長矩形状とされている。図６は、ＬＥＤモジュール３００の短手方向に対して直角である平面における断面図を示している。同図に示すようにＬＥＤモジュール３００は、１対のリード３２０、ＬＥＤチップ３１０、封止樹脂３４０、およびケース３３０を備えている。１対のリード３２０は、たとえばＣｕ合金からなり、その一方にＬＥＤチップ３１０が搭載されている。リード３２０のうちＬＥＤチップ３１０が搭載された面と反対側の面は、ＬＥＤモジュール３００を面実装するために用いられる実装端子３２１とされている。ＬＥＤチップ３１０は、ＬＥＤモジュール３００の光源であり、たとえば青色光を発光可能とされている。封止樹脂３４０は、ＬＥＤチップ３１０を保護するためのものである。封止樹脂３４０は、ＬＥＤチップ３１０からの光によって励起されることにより黄色光を発する蛍光物質を含む透光樹脂を用いて形成されている。これにより、ＬＥＤモジュール３００は、発する光の色温度を適宜設定可能である。上記蛍光物質としては、黄色光を発するものに代えて、赤色光を発するものと緑色光を発するものとを混合して用いてもよい。ケース３３０はたとえば白色樹脂からなり、ＬＥＤチップ３１０から側方に発された光を上方に反射するためのものである。なお、ＬＥＤチップ３１０は、２つのワイヤによって１対のリード３２０に接続される、いわゆる２ワイヤタイプのものでもよい。
【００３０】
複数のＬＥＤモジュール３００については、電球色を発するもの、昼白色を発するもの、あるいは、電球色と昼白色のいずれか一方をそれぞれ発するものによって構成することができる。本実施形態においては、複数のＬＥＤモジュール３００として電球色と昼白色のいずれか一方をそれぞれ発するものを採用する場合について説明する。複数のＬＥＤモジュール３００は、電球色を発する電球色ＬＥＤモジュール３０１と、昼白色を発する昼白色ＬＥＤモジュール３０２とに区別される。図５においては、理解の便宜上、電球色ＬＥＤモジュール３０１が黒色で塗りつぶされている。
【００３１】
本実施形態においては、第１支持面２１０に搭載された複数のＬＥＤモジュール３００は、平面視において７重の円環形状をなすように配置されている。円環形状をなす複数のＬＥＤモジュール３００については、電球色を発する電球色ＬＥＤモジュール３０１と昼白色を発する昼白色ＬＥＤモジュール３０２とが交互に配置される。
【００３２】
電源部４００は、図４に示すように、電源基板４１０を介して第２支持面２２０に支持されている。電源部４００は、天井８００の給電部８０１から供給されるたとえば交流１００Ｖ電力を、ＬＥＤチップ３１０を点灯させるのに適した電圧の直流電力に変換し、これを複数のＬＥＤモジュール３００に供給するためのものである。電源部４００は、たとえばトランス、コンデンサ、抵抗器、ダイオード、ＩＣなどを備える。また、電源部４００は、電球色ＬＥＤモジュール３０１と昼白色ＬＥＤモジュール３０２との輝度を独立して制御することが可能である。これにより、ＬＥＤ照明器具１０１は、電球色から昼白色の間の色温度の光を任意に照射可能である。本実施形態においては、電源基板４１０における電源部４００が搭載される面（図４における図中下側の面）は、たとえば白色レジストが施されており、光反射率の高い高反射率面とされている。
【００３３】
なお、支持部２００の適所には、受信部（図示略）が搭載されている。受信部は、図外の送信部から送信された信号を受信するためのものであり、受信部が受信した信号は、電源部４００に送られる。電源部４００は、この信号の指令に基づいて複数のＬＥＤモジュール３００の点灯状態を制御する。
【００３４】
電源部ハウジング５００は、図４および図５に示すように、断面略コの字状の円環形状とされており、平面視において第２支持面２２０と重なっている。電源部ハウジング５００は、支持部２００とカバー６００との間に位置し、電源部４００を覆っている。電源部ハウジング５００は、光を透過する材質からなり、内側筒壁部５１０、外側筒壁部５２０、および環状壁部５３０を有する。内側筒壁部５１０は、電源部４００に対して径方向内側に位置し、図４における上下方向に沿った円筒状をなしている。外側筒壁部５２０は、電源部４００に対して径方向外側に位置し、上下方向に沿った円筒状をなしている。環状壁部５３０は、内側筒壁部５１０および外側筒壁部５２０の先端どうしをつないでおり、電源部４００とカバー６００との間に位置している。本実施形態において、電源部ハウジング５００は、透明の樹脂により一体形成されたものである。電源部ハウジング５００は、ビス止め（図示略）などの適宜手段によって支持部２００に固定されており、電源部４００は、支持部２００と電源部ハウジング５００とによって囲まれた環状空間に収容されている。
【００３５】
カバー６００は、ＬＥＤ照明器具１０１の外観の大半を構成するものであり、主照射部６１０、外枠部６２０、および中央部６３０を有する。主照射部６１０は、たとえば乳白色の半透明の樹脂からなり、ＬＥＤチップ３１０（ＬＥＤモジュール３００）から発せられて外部に照射される光の大半が透過する部分である。図１および図４から理解されるように、主照射部６１０は、第１支持面２１０に対応する円環形状とされており、平面視（第１方向視）において第１支持面２１０と重なっている。図４に示すように、主照射部６１０のうち径方向における内寄り部分は、電源部ハウジング５００の環状壁部５３０のうち径方向における外寄り部分と重ね合わされている。主照射部６１０の内寄り部分は、環状壁部５３０の外寄り部分に対してビス止め（図示略）などの適宜手段によって固定されている。
【００３６】
外枠部６２０は、主照射部６１０を外側から囲んでおり、円環形状とされている。外枠部６２０は、たとえば透明の樹脂または乳白色の半透明の樹脂からなり、支持部２００の外縁部２０１に重合する状態にて、この外縁部２０１に固定されている。
【００３７】
中央部６３０は、たとえば乳白色の半透明の樹脂からなり、平面視（第１方向視）において主照射部６１０の内側に配置されている。中央部６３０のうち径方向における外寄り部分は、電源部ハウジング５００の環状壁部５３０のうち径方向における内寄り部分と重ね合わされている。中央部６３０の外寄り部分は、環状壁部５３０の内寄り部分に対してビス止め（図示略）などの適宜手段によって着脱可能に取り付けられている。
【００３８】
次に、ＬＥＤ照明器具１０１の作用について説明する。
【００３９】
本実施形態においては、複数のＬＥＤチップ３１０（ＬＥＤモジュール３００）が搭載された第１支持面２１０の径方向内側には、電源部４００を支持する第２支持面２２０が設けられており、電源部４００は、透明な樹脂からなる電源部ハウジング５００に覆われている。このような構成によれば、図７に示すように、ＬＥＤチップ３１０から発せられた光の一部は、径方向内側に向かって電源部ハウジング５００を透過し、さらにカバー６００の中央寄り部位を通じて外部に照射される。したがって、ＬＥＤ照明器具１０１によれば、スマートな外観としつつより均一に屋内を照らすことができる。
【００４０】
電源基板４１０における電源部４００が搭載される面は、高反射率面とされている。このため、ＬＥＤチップ３１０（ＬＥＤモジュール３００）から発せられた光を効率よく照射側に向かわせることができる。このことは、照度を高めつつＬＥＤ照明器具１０１によって均一に照らすのに適している。なお、本実施形態では、第１支持面２１０、第２支持面２２０、およびＬＥＤ基板２４０についても、高反射率面とされている。このことは、ＬＥＤ照明器具１０１の照度をより高めるのに適している。
【００４１】
電源部ハウジング５００は、内側筒壁部５１０、外側筒壁部５２０、および環状壁部５３０を有し、断面略コの字状の円環形状とされている。この電源部ハウジング５００にカバー６００（主照射部６１０および中央部６３０）が重ね合わされている。このような構成によれば、電源部ハウジング５００とカバー６００とが一体となって協働することにより、これらの剛性が高められ、強度面において有利である。
【００４２】
カバー６００の中央部６３０は、電源部ハウジング５００に対して着脱可能に取り付けられている。このため、ＬＥＤ照明器具１０１を天井８００に設置する際には、中央部６３０を電源部ハウジング５００から取り外すことにより、設置部品８０２への取り付けを容易に行うことができる。
【００４３】
電球色ＬＥＤモジュール３０１と昼白色ＬＥＤモジュール３０２とを備えることにより、ＬＥＤ照明器具１０１から照射される光を、電球色から昼光色まで任意の色温度とすることができる。受信部を備えることにより、色温度の調整や点灯および消灯をＬＥＤ照明器具１０１から離れた場所から適切に行うことができる。
【００４４】
図８〜図１４は、本発明の他の実施形態を示している。なお、これらの図において、上記実施形態と同一または類似の要素には、上記実施形態と同一の符号を付している。
【００４５】
図８および図９は、本発明の第２実施形態に係るＬＥＤ照明器具を示している。本実施形態のＬＥＤ照明器具１０２は、遮光板５５０が追加的に設けられており、かかる点において上記第１実施形態と異なっている。
【００４６】
遮光板５５０は、たとえば金属板からなり、電源部ハウジング５００と電源部４００との間に配置されている。遮光板５５０は、平面視（第１方向視）において電源部４００と重なる円環形状とされており、電源部ハウジング５００の内側筒壁部５１０および外側筒壁部５２０に支持されている。遮光板５５０における図中下側（第１方向照射側）の面は、たとえば白色塗装が施されており、光反射率の高い高反射率面とされている。
【００４７】
本実施形態のＬＥＤ照明器具１０２においては、複数のＬＥＤチップ３１０（ＬＥＤモジュール３００）が搭載された第１支持面２１０の径方向内側には、電源部４００を支持する第２支持面２２０が設けられており、電源部４００は、透明な樹脂からなる電源部ハウジング５００に覆われている。このような構成によれば、図９に示すように、ＬＥＤチップ３１０から発せられた光の一部は、径方向内側に向かって電源部ハウジング５００を透過し、さらにカバー６００の中央寄り部位を通じて外部に照射される。したがって、ＬＥＤ照明器具１０２によれば、スマートな外観としつつより均一に屋内を照らすことができる。
【００４８】
電源部ハウジング５００と電源部４００との間に設けられた遮光板５５０において、照射側の面が高反射率面とされている。このため、図９からも理解されるように、ＬＥＤチップ３１０（ＬＥＤモジュール３００）から発せられた光を効率よくカバー６００の中央寄り部位に向かわせることができる。このことは、ＬＥＤ照明器具１０２によってより均一に照らすのに適している。また、遮光板５５０は、平面視において電源部４００と重なる位置にあるため、電源部４００が外部から視認されるのを防止することができる。
【００４９】
図１０〜図１２は、本発明の第３実施形態に係るＬＥＤ照明器具を示している。本実施形態のＬＥＤ照明器具１０３は、主に第２支持面２２０の構成およびＬＥＤモジュール３００の配置が上記第１実施形態と異なっている。
【００５０】
図１０に示すように、本実実施形態においては、第１支持面２１０と第２支持面２２０との間には、段差２３０が設けられている。この段差２３０によって、第２支持面２２０は、第１支持面２１０よりも、照射側とは反対側の天井８００側（設置側）に位置している。また、第２支持面２２０に支持された電源部４００は、第１支持面２１０よりも設置側に位置している。
【００５１】
図１１に示すように、複数のＬＥＤモジュール３００は、ＬＥＤ基板２５０を介して第１支持面２１０に支持されている。ＬＥＤ基板２５０は、一定方向に長く延びたバー状とされている。ＬＥＤ基板２５０は、複数設けられており、それぞれにおいて長手方向に間隔を隔てて複数のＬＥＤモジュール３００が搭載されている。本実施形態においては、長手方向寸法の異なる３種類のＬＥＤ基板２５０が第１支持面２１０の径方向に間隔を隔てて配置されるとともに、各種類を構成する９個のＬＥＤ基板２５０が全体として略円形をなすように配置されている。
【００５２】
本実施形態のＬＥＤ照明器具１０３においては、複数のＬＥＤチップ３１０（ＬＥＤモジュール３００）が搭載された第１支持面２１０の径方向内側には、電源部４００を支持する第２支持面２２０が設けられており、電源部４００は、透明な樹脂からなる電源部ハウジング５００に覆われている。このような構成によれば、図１２に示すように、ＬＥＤチップ３１０から発せられた光の一部は、径方向内側に向かって電源部ハウジング５００を透過し、さらにカバー６００の中央寄り部位を通じて外部に照射される。したがって、ＬＥＤ照明器具１０３によれば、スマートな外観としつつより均一に屋内を照らすことができる。
【００５３】
本実施形態において、第２支持面２２０は第１支持面２１０よりも天井８００側（設置側）に位置している。このような構成によれば、第２支持面２２０に支持された電源部４００を天井８００側のスペースに効率よく配置することができる。これにより、ＬＥＤ照明器具１０３について図１０における上下方向の寸法（設置側から照射側までの寸法）を小さくすることが可能であり、スマートな外観としつつより均一に屋内を照らすのに適している。
【００５４】
また、第２支持面２２０に支持された電源部４００についても、第１支持面２１０よりも天井８００側に位置する。このような構成によれば、ＬＥＤチップ３１０から発せられて径方向内側に向かう光の進行が電源部４００によって妨げられることは、防止される。したがって、ＬＥＤチップ３１０（ＬＥＤモジュール３００）から発せられた光を効率よくカバー６００の中央寄り部位に向かわせることができる。このことは、ＬＥＤ照明器具１０３によってより均一に照らすのに適している。
【００５５】
図１３および図１４は、本発明の第４実施形態に係るＬＥＤ照明器具を示している。本実施形態のＬＥＤ照明器具１０４は、遮光板５６０が追加的に設けられており、かかる点において上記第３実施形態と異なっている。
【００５６】
遮光板５６０は、たとえば金属板からなり、電源部ハウジング５００と電源部４００との間に配置されている。遮光板５６０は、平面視（第１方向視）において電源部４００と重なる環状とされており、電源部ハウジング５００の内側筒壁部５１０および外側筒壁部５２０に支持されている。本実施形態の遮光板５６０は、図中上下方向（第１方向）に対して直角である面内方向（第２および第３方向）において、中央に向かうほど図中下側（第１方向照射側）に位置するように傾斜している。遮光板５６０における図中下側（第１方向照射側）の面は、たとえば白色塗装が施されており、光反射率の高い高反射率面とされている。
【００５７】
本実施形態のＬＥＤ照明器具１０４においては、複数のＬＥＤチップ３１０（ＬＥＤモジュール３００）が搭載された第１支持面２１０の径方向内側には、電源部４００を支持する第２支持面２２０が設けられており、電源部４００は、透明な樹脂からなる電源部ハウジング５００に覆われている。このような構成によれば、図１４に示すように、ＬＥＤチップ３１０から発せられた光の一部は、径方向内側に向かって電源部ハウジング５００を透過し、さらにカバー６００の中央寄り部位を通じて外部に照射される。したがって、ＬＥＤ照明器具１０３によれば、スマートな外観としつつより均一に屋内を照らすことができる。
【００５８】
電源部ハウジング５００と電源部４００との間に設けられた環状の遮光板５６０は、径方向内側に向かうほど照射側に位置しており、照射側の面が高反射率面とされている。このため、図１４からも理解されるように、ＬＥＤチップ３１０（ＬＥＤモジュール３００）から発せられた光を効率よくカバー６００の中央寄り部位に向かわせることができる。このことは、ＬＥＤ照明器具１０４によってより均一に照らすのに適している。また、遮光板５６０は、平面視において電源部４００と重なる位置にあるため、電源部４００が外部から視認されるのを防止することができる。
【００５９】
本発明に係るＬＥＤ照明器具は、上述した実施形態に限定されるものではない。本発明に係るＬＥＤ照明器具の各部の具体的な構成は、種々に設計変更自在である。
【符号の説明】
【００６０】
１０１，１０２，１０３，１０４    ＬＥＤ照明器具
２００    支持部
２１０    第１支持面
２２０    第２支持面
２３０    段差
２４０，２５０    ＬＥＤ基板
２６０    緩衝材
３００    ＬＥＤモジュール
３１０    ＬＥＤチップ
３２０    リード
３２１    実装端子
３３０    ケース
３４０    封止樹脂
４００    電源部
４１０    電源基板
５００    電源部ハウジング
５１０    内側筒壁部
５２０    外側筒壁部
５３０    環状壁部
５５０，５６０    遮光板
６００    カバー
６１０    主照射部
６２０    外枠部
６３０    中央部
８００    天井
８０１    給電部
８０２    設置部品
【図１】
2013186981.tif 000003
【図２】
2013186981.tif 000004
【図３】
2013186981.tif 000005
【図４】
2013186981.tif 000006
【図５】
2013186981.tif 000007
【図６】
2013186981.tif 000008
【図７】
2013186981.tif 000009
【図８】
2013186981.tif 000010
【図９】
2013186981.tif 000011
【図１０】
2013186981.tif 000012
【図１１】
2013186981.tif 000013
【図１２】
2013186981.tif 000014
【図１３】
2013186981.tif 000015
【図１４】
2013186981.tif 000016
【図１５】
2013186981.tif 000017